(57)【特許請求の範囲】
【請求項１】
内部を真空可能に構成した管本体内において、電子ビームを発生する電子源と対向して配置され、当該電子源から出射される電子ビームが照射されることにより、Ｘ線窓を通して、マルチライン状Ｘ線を発生するためのターゲットであって、
前記ターゲットを構成する部材の表面には、複数の微小幅のライン状ターゲットが、微小幅の溝を挟んで、繰り返し形成され、
前記ターゲットは、前記電子源からの電子ビームが、前記溝の延長方向に対して垂直な方向から、所定の角度で傾斜し、かつ、前記溝の複数を跨ぐように照射されるように配置され、もって、当該溝の間に形成される複数のライン状のターゲットからのマルチライン状Ｘ線を、所定の取り出し角度から、前記Ｘ線窓を通して出射するように構成されており、
前記ターゲットの表面は、そのＸ線発生平面を、前記Ｘ線窓を通して当該取り出し角度で見込んだ時に、発生するＸ線の強度分布が縞状のコントラストを持つように配置されることを特徴とするＸ線発生装置のターゲット。
【請求項２】
前記請求項１に記載したＸ線発生装置のターゲットにおいて、前記溝の内部に前記ターゲットを構成する部材の元素より低原子番号の元素で構成された材質を充填したことを特徴とするＸ線発生装置のターゲット。
【請求項３】
前記請求項１に記載したＸ線発生装置のターゲットにおいて、前記溝の内部側面に前記ターゲットを構成する部材の元素より低原子番号の元素で構成された材質をコーティングしたことを特徴とするＸ線発生装置のターゲット。
【請求項４】
前記請求項１から請求項３のいずれか１項に記載したＸ線発生装置のターゲットにおいて、当該ターゲットは、静止型のターゲットであることを特徴とするＸ線発生装置。
【請求項５】
前記請求項１から請求項３のいずれか１項に記載したＸ線発生装置のターゲットにおいて、当該ターゲットは、回転型のターゲットであることを特徴とするＸ線発生装置のターゲット。
【請求項６】
前記請求項１から請求項３のいずれか１項に記載したＸ線発生装置のターゲットにおいて、当該ターゲットは、その内部に、電子ビームが照射される当該ターゲットを冷却するための配管を設けたことを特徴とするＸ線発生装置のターゲット。
【請求項７】
前記請求項１から請求項３のいずれか１項に記載したＸ線発生装置のターゲットにおいて、前記ライン状ターゲットは、ターゲット材料の表面に、前記微小幅の溝を、複数、繰り返し形成することにより形成されることを特徴とするＸ線発生装置のターゲット。
【請求項８】
前記請求項１から請求項３のいずれか１項に記載したＸ線発生装置のターゲットにおいて、前記ライン状ターゲットは、ターゲット材料の表面に、前記微小幅のライン状ターゲットを、複数、繰り返し形成することにより形成されることを特徴とするＸ線発生装置のターゲット。
【請求項９】
前記請求項１から請求項３のいずれか１項に記載したＸ線発生装置のターゲットにおいて、前記ライン状ターゲットは、複数の溝が形成されたターゲット部材の表面にターゲット金属の層を形成することにより形成されていることを特徴とするＸ線発生装置のターゲット。
【請求項１０】
前記請求項１から請求項３のいずれか１項に記載したＸ線発生装置のターゲットにおいて、前記複数のライン状ターゲットの表面に近い一部が、Ｘ線の取り出し方向に突出して形成されていることを特徴とするＸ線発生装置のターゲット。
【請求項１１】
前記請求項１０に記載したＸ線発生装置のターゲットにおいて、更に、前記溝の底部が断面湾曲形状に形成されていることを特徴とするＸ線発生装置のターゲット。
【請求項１２】
前記請求項１に記載したＸ線発生装置のターゲットの加工方法であって、ダイヤモンド・カッター加工により、前記ターゲット部材の表面に前記複数の溝を形成することを特徴とするターゲットの加工方法。
【請求項１３】
前記請求項１に記載したＸ線発生装置のターゲットの加工方法であって、ワイヤー放電加工により、前記ターゲット部材の表面に前記複数の溝を形成することを特徴とするターゲットの加工方法。
【発明の詳細な説明】
【技術分野】
【０００１】
本発明は、Ｘ線を放出するためのＸ線発生装置に関し、特に、縞状Ｘ線（マルチライン状Ｘ線）を放出することが可能なＸ線発生装置のターゲットとその加工方法に関する。
【背景技術】
【０００２】
Ｘ線を用いた装置は、種々の分野において、被写体（サンプル）の分析や解析、更には、その検査などを目的として、広く、利用されている。かかる装置におけるＸ線源としては、その用途などにより異なるが、通常の点状のＸ線源と共に、縞状のＸ線（マルチライン状Ｘ線）を放出するものが用いられている。【０００３】
例えば、以下の特許文献１によれば、発生したＸ線をその場で収束することを可能にするため、荷電粒子を衝突させるターゲットにフレネルゾーンプレートからなる放射線の収束／発散効果を有する手段を持たせたものも、既に知られている。
【先行技術文献】
【特許文献】
【０００４】
【特許文献１】特開２００６−１７６５３号公報
【発明の概要】
【発明が解決しようとする課題】
【０００５】
ところで、一般的に、かかる縞状Ｘ線（マルチライン状Ｘ線）を形成するためには、Ｘ線源の前に透過型の回折格子を配置することが考えられるが、実際には、その用途などによっては、μｍオーダのサイズ（ラインの幅）の縞状Ｘ線（マルチライン状Ｘ線）が求められることも想定されるが、しかしながら、従来の技術では、かかるマルチライン状Ｘ線を形成することは難しかった。【０００６】
何故ならば、透過型の回折格子や、上記特許文献１に見られるフレネルゾーンプレートなどでは、Ｘ線が透過し易い領域のＸ線減衰を皆無にすることが出来ないことから、Ｘ線透過領域とＸ線吸収領域のアスペクト比の高い、即ち、コントラストの高い縞状Ｘ線（マルチライン状Ｘ線）を得ることは難しかった。【０００７】
そこで、本発明では、上述した従来技術における問題点に鑑み、即ち、所望のサイズ（ライン幅）を有する縞状Ｘ線（マルチライン状Ｘ線）を高いコントラストで形成することが可能なＸ線発生装置に好適なターゲットとその加工方法を提供することをその目的とする。
【課題を解決するための手段】
【０００８】
上記目的を達成するため、本発明によれば、まず、内部を真空可能に構成した管本体内において、電子ビームを発生する電子源と対向して配置され、当該電子源から出射される電子ビームが照射されることによりマルチライン状Ｘ線を発生するためのターゲットであって、前記ターゲットを構成する部材の表面には、複数の微小幅のライン状ターゲットが、微小幅の溝を挟んで、繰り返し形成され、前記電子源からの電子ビームを、前記溝の延長方向に対して垂直な方向から、所定の角度で傾斜して照射されるように配置され、前記電子源からの電子ビームが、前記溝の複数を跨ぐように照射され、かつ、当該溝の間に形成される複数のライン状のターゲットからのマルチライン状Ｘ線を、所定の取り出し角度から出射するように構成したことを特徴とするＸ線発生装置のターゲットが提供される。【０００９】
また、本発明では、前記に記載したＸ線発生装置のターゲットにおいて、当該ターゲットは、静止型のターゲット、又は、回転型のターゲットであり、更には、その内部に、電子ビームが照射される当該ターゲットを冷却するための配管を設けたことが好ましい。また、前記に記載したＸ線発生装置のターゲットでは、前記ライン状ターゲットは、ターゲット部材の表面に、前記微小幅の溝を、複数、繰り返し形成することにより、又は、ターゲット部材の表面に、前記微小幅のライン状ターゲットを、複数、埋め込んで、繰り返し形成することにより形成されることが好ましい。又は、前記溝の内部に低原子番号の元素を充填し、又は、前記溝の内部側面に低原子番号の元素をコーティングすることが好ましい。更に、本発明によれば、前記に記載したＸ線発生装置のターゲットにおいて、前記ライン状ターゲットは、複数の溝が形成されたターゲット部材の表面にターゲット金属の層を形成することにより形成されてもよい。また、前記複数のライン状のターゲットの表面に近い一部が、Ｘ線の取り出し方向へ突出して形成されてもよく、更には、前記溝の底部が断面湾曲形状に形成されてもよい。【００１０】
加えて、本発明によれば、前記に記載したＸ線発生装置のターゲットの加工方法であって、ダイヤモンド・カッター加工により、前記ターゲット部材の表面に前記複数の溝を形成するターゲットの加工方法、又は、ワイヤー放電加工により、前記ターゲット部材の表面に前記複数の溝を形成するターゲットの加工方法が提供される。
【発明の効果】
【００１１】
上述したように、本発明によれば、μｍオーダのサイズ（ライン幅）を有する微小幅の縞状Ｘ線（マルチライン状Ｘ線）を形成することが可能なＸ線発生装置に好適なターゲットが提供されると共に、かかるターゲットの加工方法を提供するという、実用的にも極めて優れた効果を発揮する。
【図面の簡単な説明】
【００１２】
【図１】本発明になるＸ線発生装置（Ｘ線管）におけるマルチライン状ターゲットの原理を説明するための図である。
【図２】上記マルチライン状ターゲットの原理を説明する一部拡大断面図である。
【図３】上記マルチライン状ターゲットの変形例について説明する断面図である。
【図４】上記マルチライン状ターゲットの他の変形例を説明する断面図である。
【図５】上記マルチライン状ターゲットの更に他の変形例、特に、小さなαの場合について説明する断面図である。
【図６】上記マルチライン状ターゲットを適用した静止型の金属ターゲットを備えたＸ線発生装置（実施例１）の全体構成を示す斜視図である。
【図７】上記図６のＸ線発生装置におけるターゲット周辺の構成を示す一部断面図である。
【図８】上記図６に示したＸ線発生装置（実施例１）の変形例におけるターゲット周辺の構成を示す一部断面図である。
【図９】上記マルチライン状ターゲットを適用した回転式のターゲットを備えたＸ線発生装置（実施例２）の全体構成を示す側面図である。
【図１０】上記図９のＸ線発生装置における回転式ターゲットの周辺の構成を示す一部拡大斜視図である。
【図１１】上述したマルチライン状ターゲットの他の変形例、特に、ターゲット表面に形成される溝の断面形状について説明する図である。
【発明を実施するための形態】
【００１３】
以下、本発明の実施の形態について、添付の図面を参照しながら詳細に説明する。
【００１４】
まず、本発明になるＸ線発生装置について、その原理を中心として説明を加える。まず、添付の図１は、本発明の実施の形態になるＸ線発生装置を構成する要部を示している。この図において、まず、符号３ｂは、金属板からなるターゲット部材３１の表面に設けられ、複数の微小幅の溝１１０…を形成してなる、金属ターゲットを示している。即ち、これら複数の微小幅の溝１１０…の間には、やはり微小幅のライン状のターゲットが形成されることとなる。なお、この金属板は、例えば、銅（Ｃｕ）やモリブデン（Ｍｏ）の材料から形成されており、その表面には、間隔（ピッチ：Ｐ）で、幅（Ｗ）、深さ（Ｄ）の溝１１０が、図のＸ方向に伸び、かつ、Ｙ軸の方向に連続的に繰り返して形成されている。
【００１５】
上述した金属ターゲット３ｂの表面には、電子源を構成する電子銃（フィラメント）２１から放射された電子ビームが照射される。なお、この電子銃２１は、上記金属ターゲット３ｂの上方で、電子ビームがターゲット表面で、当該複数の微小幅の溝１１０…が形成された方向（図のＸ軸方向）に垂直な方向（即ち、図のＹ軸）において、所定の角度αで傾斜して入射する位置に、配置されている。その結果、この電子銃２１から放射された電子ビームは（必要に応じ、電子レンズにより集束され）、上記金属ターゲット３ｂの表面において、複数の微小幅の溝１１０（又は、複数のライン状ターゲット）を跨いで、所定の角度αで傾斜して入射することとなる。尚、角度αは、通常のＸ線管と同様に９０°であってもよい。
【００１６】
そして、上記のような金属ターゲット３ｂを備えた構成によれば、図のＹ軸方向において、取り出し角度βでＸ線を取り出すこととなるが、その際、添付の図２にも示すように、上記金属ターゲット３ｂの表面では、溝１１０の間に形成されるライン状のターゲット表面（ライン状ターゲット）１１Ｕから放出されるＸ線は、そのまま、上記取り出し角度βに放射されるが、他方、それ以外の部分では、より具体的には、上記溝１１０の底面１１Ｂから放出したＸ線は、その側面１１Ｓにおいて減衰されることとなる。その結果、上記取り出し角度βの方向では、そのＸ線強度（Ｉ）が所定の周期で増減する、所謂、縞状のＸ線（マルチライン状Ｘ線）が得られることとなる。
【００１７】
なお、ここでは、一例として、上記溝１１０の間隔（ピッチ：Ｐ）とその幅（Ｗ）、深さ（Ｄ）をＰ＝２Ｗとしているが、本発明ではこれに限定されることなく、Ｐ≠２Ｗであってもよい。また、金属ターゲット３ｂの表面に形成した溝１１０の深さ（Ｄ）は、上記底面１１Ｂから放出したＸ線を減衰させるために十分な深さとする（Ｄ＞Ｗ・ｔａｎβ）。
【００１８】
また、上記図２の右側には、上述のようにして得られるマルチライン状Ｘ線の強度分布Ｉが示されており、これからも明らかなように、そのＸ線強度が、縞（ライン）方向に対して垂直な方向に周期的に増減しながら、連続的に変化することが分かる。そして、これにより得られるマルチライン状Ｘ線のライン幅は、Ｗ・sinβとなる。即ち、上述した構成により得られるマルチライン状Ｘ線のライン幅は、上記の金属ターゲット３ｂの表面に形成した溝１１０の間隔（Ｐ＝２Ｗ）とＸ線の取り出し角度（β）とを適切な値に設定することによって得られることとなり、特に、上記金属ターゲット３ｂの表面上に形成する微小幅の溝１１０を、数十μｍオーダの間隔（Ｐ＝２Ｗ）で形成することにより、μｍオーダのサイズの縞状Ｘ線（マルチライン状Ｘ線）を容易に得ることが可能となる。
【００１９】
即ち、本発明になる上述した金属ターゲット３ｂの構成によれば、電子銃（フィラメント）２１から放射された電子ビームがその表面に照射される金属ターゲット３ｂを、特に、その表面において、ライン状のターゲット１１Ｕが、周期的、かつ、連続的に配列されて構成されたものとすればよく、以下の説明では、かかる構成のターゲットを、単に「マルチライン状ターゲット１００」と称する。
【００２０】
なお、以上の説明では、金属膜の表面に複数の溝１１０…を形成して金属ターゲット３ｂ（＝マルチライン状ターゲット１００）を得るものとして説明を行ったが、しかしながら、上述の本発明の原理からも明らかなように、本発明では、必ずしも、複数の溝１１０…を形成する必要はなく、例えば、上記の溝に代えて、複数のライン状の金属部材を金属板の表面上に形成する（埋め込み等を含む）ことによって複数の溝を形成することによっても、やはり、同様の効果を得ることが出来る。
【００２１】
以下、上記マルチライン状ターゲット１００の変形例について、添付の図３及び図４を参照して説明する。
【００２２】
図３（Ａ）は、例えば、銅（Ｃｕ）のターゲット部材３１の表面に複数の溝１１０…を形成した後、その表面（上面）１１Ｕに、更に、モリブデン（Ｍｏ）、又は、タングステン（Ｗ）の層１１１をライン状のターゲット３ｂとして形成し、Ｍｏ特性Ｘ線、又は、Ｗ特性Ｘ線を得るようにしたものである（但し、Ｗの場合、特定範囲の連続Ｘ線を含む）。なお、図３（Ａ）の例は、銅（Ｃｕ）のターゲット部材３１の表面（上面）に、モリブデン（Ｍｏ）、又は、タングステン（Ｗ）の層を形成した後、ターゲット部材の表面に複数の溝を形成してライン状のターゲット３ｂとしてもよい。また、図３（Ｂ）に示すように、上記溝１１０の内部に、例えば、炭素（Ｃ）などの低原子番号の元素を充填１１２し、又は、図３（Ｃ）に示すように、その側面に低原子番号の元素をコーティング１１３してもよい。更に、図３（Ｄ）に示すように、上記各溝１１０の端部１１４を、断面が湾曲状に、又は、テーパー状に形成して（図に点線で示す）、得られるマルチライン状Ｘ線のコントラストを調整してもよい。また、連続Ｘ線の特定の範囲のエネルギー帯を利用する場合には、上述した充填タイプよりも、その側面や底面に異種金属のコーティング（例えば、Ｎｉ：１０μｍ厚）を施すことが好ましい。
【００２３】
加えて、上記溝１１０の断面形状は、上述した方形状に加え、更に、添付の図４（Ａ）に示す「Ｕ」字状、又は、図４（Ｂ）に示す「Ｖ」字状にしてもよい。そして、その側面１１Ｓには、上述したように、低原子番号の元素を充填し、又は、コーティングしてもよい。
【００２４】
更に、電子銃（フィラメント）２１から放射されて上述した金属ターゲット３ｂの表面に照射される電子ビームは、通常、所定の角度α（＝８４°程度）で傾斜して入射されるが、しかしながら、この傾斜角度αは、その他、種々の値に設定することが可能であり、例えば、添付の図５にも示すように、この傾斜角度αを６°前後にまで小さくすることも可能である。なお、この場合にも、Ｘ線の取り出し方向（図では、右側）から見える上記溝１１０の内壁の一部（本例では、その溝の左側内壁の上端部）に、低原子番号の元素をコーティング１１３を施すことによれば、コントラスト比が高い、好適なマルチライン状のＸ線が得られる。
【００２５】
続いて、上記にその原理を説明したＸ線発生装置を実際のＸ線発生装置に適用した例について、以下に詳細に説明する。
【実施例１】
【００２６】
添付の図６は、本発明を、静止型の金属ターゲットを備えた封入式のＸ線発生装置を示す斜視図であり、添付の図７は、その金属ターゲットを含む一部拡大断面図である。【００２７】
即ち、この実施例１になるＸ線発生装置（Ｘ線管）では、その内部を真空可能に構成したステンレス製のＸ線管本体１の内部に、電子源２と、陽極（ターゲット）３とを設けて構成されている。なお、電子源２は、フィラメント電源４１から供給される電流により加熱して熱電子（電子ビーム）を放出する、所謂、陰極を構成するフィラメント２１と、放出された電子ビームを所望の径に収束する電子レンズ２２とを備えて構成される。なお、この電子レンズ２２は、本発明では、必ずしも必要ではなく、上述したように、放出された電子ビームが、ターゲットの表面に形成されたマルチライン状ターゲットの上に、複数のライン状のターゲット部材を跨ぐように照射されていればよい。また、図中の符号４２は、バイアス電圧を示しており、符号４は、上記フィラメント２１と陽極３との間に高電圧を印加するための高圧電源を示している。また、上記の陽極は、ターゲット部材３１と共に、基材３ａと、そして、その上に上述したマルチライン状ターゲットを形成した金属ターゲット３ｂとから構成されている。【００２８】
以上の構成において、陰極を構成するフィラメント２１から放出した熱電子（電子ビーム）は、陽極（ターゲット）３に照射され、その結果、上述したマルチライン状ターゲット１００を形成する金属ターゲット３ｂの表面から、取り出し角度（β）で発生したＸ線は、Ｘ線取り出し窓３４の方向に射出され、上述した複数の縞状のＸ線（マルチライン状Ｘ線）がＸ線発生装置から取り出されて使用される。【００２９】
なお、上記陽極（ターゲット）３は、より詳細には、添付の図７にも示すように、熱伝導率の高い金属、例えば、銅（Ｃｕ：熱伝導率＝０．９４ｃａｌ／ｃｍ・ｓｅｃ・ｄｅｇ）等からなる基材３ａの表面に、例えば、モリブデン（Ｍｏ）、金（Ａｕ）、銀（Ａｇ）、タングステン（Ｗ）、ニッケル（Ｎｉ）、又は、クロム（Ｃｒ）等により複数のライン状の部材（マルチライン状ターゲット）を、数十μｍ程度の厚さでかつ所定のピッチ（間隔）で、繰り返し形成する（又は、ライン状部材を埋め込む）ことにより、上述のマルチライン状ターゲットである金属ターゲット３ｂを形成している。なお、この所定のピッチ（間隔）としては、数十μｍ程度である。また、上記のターゲット３では、その基材３ａとして熱伝導率の高い銅材を使用し、その表面にタングステン膜を形成して構成した場合にも、やはり、例えば、モリブデン（Ｍｏ）、金（Ａｕ）、銀（Ａｇ）、銅（Ｃｕ）、ニッケル（Ｎｉ）、又は、クロム（Ｃｒ）等から形成した数十〜数百μｍ程度の厚さと幅（Ｗ）を有するライン状の部材を、その表面に所定のピッチ（間隔：Ｄ）で繰り返して形成する（又は、埋め込む）ことにより、上述のマルチライン状ターゲットを備えた金属ターゲット３ｂとして形成することが出来る。【００３０】
加えて、上記ターゲット３の基材３ａの裏面には、図７に示すように、冷媒（例えば、冷却水）５を流す流路が設けられ、基材３ａで発生する熱を外部に除去できるようになっている。なお、この熱を除去するためには、ターゲットの基材３ａの裏面を、直接、冷媒により冷却する図示した方法以外にも、例えば、添付の図８に示すように、ターゲットの基材３ａからの熱をその下部に設けた熱伝導セラミックス３６に伝導し、当該セラミックの周囲に巻いた配管内を流れる冷媒５により除去する方法も可能である。【００３１】
なお、本実施例１では、ターゲット３の基材３ａ表面には、上述したマルチライン状ターゲット１００をその表面に形成した金属ターゲット３ｂが形成されていることから、電子ビームの照射により、その金属による特性Ｘ線のマルチライン状のＸ線が、Ｘ線取り出し窓３４から取り出されることになる。なお、特性Ｘ線は金属毎に決まっており、例えば、基材３ａと同じ銅（Ｃｕ）を用いた場合には、８．０４ｋｅＶの特性Ｘ線（Ｋα）が、又は、モリブデンを用いた場合には、モリブデン（Ｍｏ）の特性Ｘ線（Ｋα）１７．４ｋｅＶが取り出されることになる。【００３２】
即ち、上述した実施例１になる静止型の金属ターゲットを備えた封入式のＸ線発生装置によれば、上述のマルチライン状ターゲットを形成する金属と共に、ライン状の部材の幅（Ｗ）やピッチ（間隔：Ｐ）、更には、取り出し角度（β）を、適宜、設定することにより、μｍオーダでの所望のサイズ（ライン幅）を有する複数の縞状Ｘ線（マルチライン状Ｘ線）を、容易に得ることが可能となる。
【実施例２】
【００３３】
添付の図９は、本発明を、回転式のターゲット（陰極）を備えたＸ線発生装置である、所謂、回転対陰極Ｘ線管の全体を示す断面図であり、添付の図１０は、その回転式金属ターゲットの詳細を示す全体斜視図である。【００３４】
図９に示すように、回転式のターゲット（陰極）を備えたＸ線発生装置では、その内部を真空可能に構成したステンレス製のＸ線管本体１の内部に、電子源２であるフィラメント２１と共に、回転式の陽極（ターゲット）３’とを設けて構成されている。また、図中の符号３７は、以下に詳細にその構造を説明する回転ターゲットを回転・駆動するための手段であるモータ等をその内部に備えた駆動部であり、当該駆動部３７にも冷媒５が導かれており、ここでは図示しないが、当該回転ターゲットを冷却するための配管がその内部に設けられている。なお、その他の構成については、詳細は図示しないが、上記図４に示したと同様であり、ここではその説明を省略する。
【００３５】
そして、図１０に示すように、回転式の陽極（ターゲット）３’は、円筒状の外形を有しており、その外周面に、上述したマルチライン状ターゲット１００が形成されている。なお、この回転式ターゲット３’は、例えば、図の矢印方向に高速で回転しており、そして、その下方に設けられたフィラメント２１から放出した熱電子（電子ビーム）が、回転式ターゲット３’の下側の外周面に、上述した所定の条件下で照射される。その結果、上述したマルチライン状ターゲット１００を形成する金属ターゲット３ｂの表面から取り出し角度（β）で発生したＸ線は、Ｘ線取り出し窓３４の方向に射出される。即ち、上述した複数の縞状のＸ線（マルチライン状Ｘ線）がＸ線発生装置（回転対陰極Ｘ線管）から取り出される。【００３６】
このように、上述した実施例２になる回転式のターゲットを備えたＸ線発生装置（回転対陰極Ｘ線管）によっても、マルチライン状ターゲット１００を形成する金属と共に、ライン状の部材の幅（Ｗ）やピッチ（間隔：Ｐ）、更には、取り出し角度（β）を、適宜、設定することにより、μｍオーダでの所望のサイズ（ライン幅）を有する複数の縞状Ｘ線（マルチライン状Ｘ線）を、容易に得ることが可能となる。更に、この実施例２によれば、回転式のターゲットを備えていることから、電子ビームは、常に、冷却されたターゲット面に当たることから、特に、出力の高いマルチライン状Ｘ線を容易に得ることが可能であると共に、ターゲットの高速回転により、ターゲット面の揺れを除去して得られるマルチライン状Ｘ線のピーク幅が広がることを防止し、もって、コントラストの高いマルチライン状Ｘ線を得ることが可能となる。
【００３７】
続いて、上述したマルチライン状ターゲット１００の作製方法について述べる、例えば、ダイヤモンドバイトによるダイヤモンド・カッター加工やワイヤー放電加工を用いることが考えられる。特に、ダイヤモンド・カッター加工により得られた溝の断面の一例が、上記図３（Ａ）に、又、ワイヤー放電加工を用いることにより得られた溝の断面の一例が、上記図４（Ａ）に、それぞれ、示されている。なお、実際に加工を行った結果によれば、ダイヤモンド・カッター加工よりもワイヤー放電加工を用いて溝の加工を行った方が、特に、凸部の角の形状が良好に形成できることから、得られるマルチライン状Ｘ線のコントラスト（例えば、２０：１）も高いことから、ワイヤー放電加工を用いることが好ましいことが確認された。【００３８】
更に、上述したマルチライン状ターゲット１００の他の変形例、特に、ターゲット表面に形成される溝１１０の断面形状について、添付の図１１を参照しながら説明する。【００３９】
まず、図１１（Ａ）には、ターゲット表面に形成される溝１１０を、図の右側の方向に傾斜させて形成した例を示しており、その結果、溝１１０の断面形状は平行四辺形となっており、即ち、ターゲットの表面（上面）１１ＵがＸ線の取り出し方向（図の右方向）に突き出（オーバーハング）している。かかる変形例になる構造によれば、Ｘ線を取り出す側（右側）の側壁１１０Ｒへの電子ビーム（一次電子）の衝突を低減することにより、コントラストの高いマルチライン状Ｘ線が得られる。【００４０】
また、図１１（Ｂ）に示す変形例では、上記の溝１１０の幅を、下方に行く（即ち、ターゲットの表面から離れる）に従って大きくしたものであり、これにより、ターゲットの表面（上面）１１ＵのＸ線取り出し方向への突出し（オーバーハング）に加え、ターゲットの表面（上面）１１Ｕをより大きく確保することが出来ると共に、Ｘ線を取り出す側とは反対側（左側）の垂直な側壁１１０Ｌへの電子ビームの衝突を低減することが可能となる。これによれば、更にコントラストの高いマルチライン状Ｘ線が得られる。【００４１】
次に、図１１（Ｃ）には、Ｘ線を両側（図の左右方向）に取り出すのに好適な溝１１０の断面形状を示す。即ち、図からも明らかなように、ターゲットの表面（上面）１１Ｕに形成される溝１１０は、その両側において、下方に行くに従って大きくなっており、その結果、両側の側壁１１０Ｌ、１１０Ｒに電子ビームが当たらず、それ故、コントラストの高いマルチライン状Ｘ線が、その両側（図の左右方向）に得られることとなる。【００４２】
更に、図１１（Ｄ）には、特に、ワイヤー放電加工に好適な溝の形状を示している。この変形例では、ターゲット表面に形成される溝１１０の断面形状を、溝１１０の角部１１０Ｃが湾曲形状（Ｒ形状）となるように形成している。なを、このワイヤー放電加工の条件の一例を以下に示す。
ワイヤー張力：３５０〜４００ｇ
ワイヤー速度：１５０〜１０ｍ／分
サーボ電圧：４５〜５５Ｖ
設定送り速度：０．７５〜６ｍｍ／分【００４３】
かかる溝１１０の断面形状によれば、上記の変形例と同様、ターゲットの表面（上面）１１ＵのＸ線取り出し方向への突出し（オーバーハング）によりコントラストの高いマルチライン状Ｘ線が得られると共に、電子ビームの照射により高温となるターゲット表面（上面）１１Ｕの熱を、溝１１０の湾曲角部１１０Ｄも介して、その下方に流れる冷却水（Ｗａ）等の冷媒に効率よく伝達することが可能となる。
【符号の説明】
【００４４】
１…Ｘ線管本体、２…電子源、３…陽極、４…高圧電源、１１…Ｘ線発生装置、２１…フィラメント、２２…電子レンズ、２３…電子ビーム、２４…電子ビーム照射部、２５…電子ビームの位置変動、３１…ターゲット部材、３ａ…基材、３ｂ…金属ターゲット、３６…熱伝導セラミックス、４１…フィラメント電源、４２…バイアス電源、Ｓ…試料、１００…マルチライン状ターゲット、１１０…溝、１１Ｕ…ライン状ターゲット。
【図１】
0005548189.tif 000002
【図２】
0005548189.tif 000003
【図３】
0005548189.tif 000004
【図４】
0005548189.tif 000005
【図５】
0005548189.tif 000006
【図６】
0005548189.tif 000007
【図７】
0005548189.tif 000008
【図８】
0005548189.tif 000009
【図９】
0005548189.tif 000010
【図１０】
0005548189.tif 000011
【図１１】
0005548189.tif 000012